(57)【要約】【課題】接続部やヒンジ部の非発光部が無く、連続した画面を構成できるタイリングディスプレイを提供する。【解決手段】封止された発光源がマトリックス状に設けられた単位パネル１１，１２を、複数枚タイル状に配列してなるタイリングディスプレイ１において、隣り合う単位パネル１１，１２の接続部１７であって単位パネルの表示領域間Ｓに、発光源のピッチＰ１に等しいピッチで発光ダイオード２１Ｒ，２１Ｇ，２１Ｂを設ける。【選択図】  図１
2004191487.tif 000002
【特許請求の範囲】
【請求項１】
封止された発光源がマトリックス状に設けられた単位パネルを、複数枚タイル状に配列してなるタイリングディスプレイにおいて、
前記隣り合う単位パネルの接続部であって前記単位パネルの表示領域間に、前記発光源のピッチに略等しいピッチで点光源が設けられていることを特徴とするタイリングディスプレイ。
【請求項２】
少なくとも一部の接続部にヒンジ部が介装され、当該ヒンジ部であって前記単位パネルの表示領域間に、前記発光源のピッチに略等しいピッチで点光源が設けられていることを特徴とする請求項１記載のタイリングディスプレイ。
【請求項３】
前記点光源が発光ダイオードであることを特徴とする請求項１または２記載のタイリングディスプレイ。
【請求項４】
少なくとも前記点光源の表面に光拡散層が設けられていることを特徴とする請求項１〜３の何れかに記載のタイリングディスプレイ。
【請求項５】
前記単位パネルが、プラズマディスプレイ、液晶ディスプレイ、フィールドエミッションディスプレイ、有機エレクトロルミネッセンスディスプレイの何れかであることを特徴とする請求項１〜４の何れかに記載のタイリングディスプレイ。
【請求項６】
発光ダイオードがマトリックス状に設けられた単位パネルを、複数枚タイル状に配列してなるタイリングディスプレイにおいて、
前記隣り合う単位パネルの接続部の少なくとも一部の接続部にヒンジ部が介装され、当該ヒンジ部であって前記単位パネルの表示領域間に、前記発光ダイオードのピッチに略等しいピッチで点光源が設けられていることを特徴とするタイリングディスプレイ。
【請求項７】
前記点光源が発光ダイオードであることを特徴とする請求項６記載のタイリングディスプレイ。
【請求項８】
少なくとも前記点光源の表面に光拡散層が設けられていることを特徴とする請求項６または７記載のタイリングディスプレイ。
【発明の詳細な説明】
【０００１】
【発明の属する技術分野】
【０００２】
本発明は、プラズマディスプレイ、液晶ディスプレイ、フィールドエミッションディスプレイ、有機エレクトロルミネッセンスディスプレイ、発光ダイオードディスプレイなどの単位ディスプレイを複数配列して構成されるタイリングディスプレイに関する。
【従来の技術】
近年、大画面のディスプレイに対するニーズが増加しており、それにともない、プラズマディスプレイ、液晶ディスプレイ、フィールドエミッションディスプレイ、有機薄膜ＥＬ素子、発光ダイオードディスプレイのような平面表示素子を用いたディスプレイについても画面の大型化が求められている。また、これらの平面表示素子をヒンジで接続して折り畳み可能なディスプレイとすることも試みられている。
しかしながら、平面表示素子を用いたディスプレイの場合には、単一の平面表示素子で大画面化を実現しようとすると、機械的な強度の点や電極の抵抗の増大に伴って駆動電圧を高める必要がある点等から困難が多い。そこで、平面表示素子をユニット化したパネルをタイル状に複数枚配列することによって大画面を実現することが有力な方法となる。
【０００３】
本明細書では、単一の平面表示素子のことを単位パネル、この単位パネルを複数タイル状に配列して製作されるディスプレイのことをタイリングディスプレイともいう。
【０００４】
【発明が解決しようとする課題】
ところで、プラズマディスプレイや液晶ディスプレイなど、発光源が封止された構造の単位パネルを複数配列してタイリングパネルにする場合には、その接続部において封止構造（側板）の幅の２倍分に相当する非発光部が必然的に生じてしまう。これにより、ディスプレイ全体として見たときに接続部で画素のピッチが広がってしまうといった問題があった。
【０００５】
また、単位パネルをヒンジで接続して折り畳み可能なディスプレイにする場合にも、ヒンジ部分が非発光部となってしまうといった問題があった。
【０００６】
【課題を解決するための手段】
本発明は、接続部やヒンジ部の非発光部が無く、連続した画面を構成できるタイリングディスプレイを提供することを目的とする。
（１）本発明によれば、封止された発光源がマトリックス状に設けられた単位パネルを、複数枚タイル状に配列してなるタイリングディスプレイにおいて、
前記隣り合う単位パネルの接続部であって前記単位パネルの表示領域間に、前記発光源のピッチに等しいピッチで点光源が設けられていることを特徴とするタイリングディスプレイが提供される。
【０００７】
本発明のタイリングディスプレイでは、隣り合う単位パネルの接続部に、発光源ピッチに等しいピッチで点光源が設けられているので、接続部における非発光部がなくなり、連続した画面を構成することができる。
【０００８】
この場合、点光源を設ける範囲は、接続部全体である必要はなく、少なくとも隣接する単位パネルの表示領域を繋ぐ接続部の領域に点光源を設ければ足りる。
【０００９】
また、タイリングディスプレイを構成する際に、単位パネルの接続部のうちの少なくとも一部の接続部にヒンジ部を介装すると、このヒンジ部において折り畳み可能なタイリングディスプレイを得ることができるが、このような折り畳み可能なタイリングディスプレイのヒンジ部にも、発光源のピッチに等しいピッチで点光源を設けることが好ましい。
【００１０】
こうすることで、隣り合う単位パネルの間に位置する接続部およびヒンジ部の両方に非発光部がなくなり、折り畳み可能なタイリングディスプレイにおいても連続した画面を構成することができる。
【００１１】
本発明において、接続部やヒンジ部に設けられる点光源は特に限定されないが、たとえば発光ダイオードなどを例示することができる。
【００１２】
また、点光源の表面に光拡散層を設けることが好ましく、発光ダイオードなどの点光源の表面に光拡散層を設けることで、接続部やヒンジ部における発光光を、単位パネルの発光領域と同等な面発光とすることができ、画面全体としての違和感がなくなる。
【００１３】
本発明に係るタイリングディスプレイは、単位パネルが、プラズマディスプレイ、液晶ディスプレイ、フィールドエミッションディスプレイ、有機エレクトロルミネッセンスディスプレイなど、いわゆる封止された発光源がマトリックス状に設けられたディスプレイであれば全てに適用することができる。
（２）発光ダイオードディスプレイなどのように、発光源が封止されていないディスプレイにおいて、単位パネルの端部まで発光源を配置すれば、単位パネルをタイリングしたときに接続部に生じる非発光部を無くすることができるが、こうした発光ダイオードディスプレイの接続部にヒンジ部を介装して折り畳み可能なタイリングディスプレイを構成する場合は、以下のように構成することが好ましい。
【００１４】
すなわち、本発明によれば、発光ダイオードがマトリックス状に設けられた単位パネルを、複数枚タイル状に配列してなるタイリングディスプレイにおいて、前記隣り合う単位パネルの接続部の少なくとも一部の接続部にヒンジ部が介装され、当該ヒンジ部であって前記単位パネルの表示領域間に、前記発光ダイオードのピッチに等しいピッチで点光源が設けられていることを特徴とするタイリングディスプレイが提供される。
【００１５】
こうすることで、隣り合う単位パネルの間に位置するヒンジ部の両方に非発光部がなくなり、折り畳み可能な発光ダイオードのタイリングディスプレイにおいても連続した画面を構成することができる。
【００１６】
本発明において、接続部やヒンジ部に設けられる点光源は特に限定されないが、たとえば発光ダイオードなどを例示することができる。
【００１７】
また、点光源の表面に光拡散層を設けることが好ましく、発光ダイオードなどの点光源の表面に光拡散層を設けることで、接続部やヒンジ部における発光光を、単位パネルの発光領域と同等な面発光とすることができ、画面全体としての違和感がなくなる。
【００１８】
【発明の実施の形態】
以下、本発明の実施形態を図面に基づいて説明する。
【００１９】
第１実施形態
図１は本発明の第１実施形態に係るタイリングディスプレイを示す平面図、図２は図１のＩＩ−ＩＩ線に沿う断面図である。本例では封止された発光源がマトリックス状に設けられた単位パネルとして液晶カラーディスプレイを例に挙げて本発明を説明する。
【００２０】
本例に係る液晶カラーディスプレイの単位パネル１１〜１８を図１および図２に示す。図１に示す単位パネル１１を例に挙げると、この単位パネル１１は、図２に示すように薄膜トランジスタ基板１１１の一主面に薄膜トランジスタおよび画素電極１１２ａ〜ｆがマトリックス状に造り込まれ、この薄膜トランジスタ基板１１１に対向するように共通電極１１３が形成されたカラーフィルタ基板１１４が設けられている。また、薄膜トランジスタ基板１１１とカラーフィルタ基板１１４との間の空間１１５には液晶が封入され、周囲は封止材１１６にて封止されている。
【００２１】
本例の単位パネル１１はカラーディスプレイであることから、カラーフィルタ基板１１４に設けられた赤（Ｒ）、緑（Ｇ）および青（Ｂ）の一つのカラーフィルタは、薄膜トランジスタ基板１１１に設けられた一つの画素電極１１２ａ〜ｆに対応する。したがって、１組の赤（Ｒ）、緑（Ｇ）および青（Ｂ）のカラーフィルタおよびこれに対応する３つの画素電極が、ディスプレイにおける１つの画素を構成することになる。図２に示す例でいえば、薄膜トランジスタおよび画素電極１１２ａ，１１２ｂ，１１２ｃおよび画素電極１１２ｄ，１１２ｅ，１１２ｆが一つの画素を構成する。
【００２２】
上述したように、単位パネル１１の周囲は熱硬化性樹脂などの封止材１１６により風刺する必要があるため、こうした単位パネル１１〜１８をマトリックス状にタイリングすると、液晶ディスプレイの画素が存在しない接続部１１７が必然的に生じることになる。
【００２３】
図１に示す例では、単位パネル１１と１２を左右に並べ、さらに単位パネル１１の上下および左に単位パネル１５，１７，１３を並べ、一方単位パネル１２の上下および右に単位パネル１６，１８，１４を並べているが、周囲を他の単位パネルで囲まれた単位パネル、同図に示す例では単位パネル１１，１２においては、単位パネルの周囲全周が他の単位パネルとの接続部１７となる。
【００２４】
このように、複数の単位パネル１１〜１８をタイル状に配列してタイリングディスプレイ１を構成すると、単位パネル１１，１２の接続部１７が液晶ディスプレイの画素が存在しない状態となって、その部分の画像が欠けてしまう。
【００２５】
そこで、本例では隣接する単位パネルが存在する接続部１７の表面に、発光ダイオード素子２１Ｒ，２１Ｇ，２１Ｂを、接着剤などを用いて液晶ディスプレイの画素ピッチと同じピッチで設けている。すなわち、図２の断面図にて説明すると、単位パネル１１と単位パネル１２とをタイル状に配列する場合、単位パネル１１の右側側部の接続部１１７と、単位パネル１２の左側側部の接続部１２７の領域が、液晶ディスプレイの画素が存在しない、いわゆる非発光部となる。ここに液晶ディスプレイの画素ピッチＰ１と同じピッチＰ１で赤色の発光ダイオード２１Ｒ、緑色の発光ダイオード２１Ｇおよび青色の発光ダイオード２１Ｂを配列している。なお、ここにいう画素ピッチＰ１は縦横両者を含む意味である。
【００２６】
さらに、単位パネル１１についていうと、この単位パネル１１は単位パネル１２以外にも、図１の左側において単位パネル１３とタイリングされ、上側においても単位パネル１５とタイリングされ、さらに下側においても単位パネル１７とタイリングされることから、単位パネル１１の全周の接続部１７に発光ダイオード素子２１Ｒ，２１Ｇ，２１Ｂが設けられることになる。
【００２７】
なお、タイリングディスプレイ１を２枚の単位パネル１１，１２で構成する場合には、これら２枚の単位パネル１１，１２の間の接続部１７であって、単位パネルの表示領域、すなわち液晶ディスプレイの画素が存在する領域の間（図１にＳで示す。）に少なくとも発光ダイオード素子を配列すればよい。ただし、この場合であっても、単位パネル１１，１２の他の周囲にはこうダイオード素子を配列して画素領域を広げることは何ら問題ない。
【００２８】
さらに本例のタイリングディスプレイ１では、発光ダイオード素子２１Ｒ，２１Ｇ，２１Ｂが、液晶ディスプレイの光源に比べて点光源となることから、発光ダイオード素子２１Ｒ，２１Ｇ，２１Ｂが配列された領域の表面に、光拡散性を有する光拡散層２２が形成されている。この光拡散層２２の構成は特に限定されず、光拡散性ビーズなどを混入させた樹脂材料により構成することもできるし、光拡散層２２の表面に凹凸を形成して光拡散性を付与してもよい。
【００２９】
このように、本実施形態のタイリングディスプレイ１によれば、隣り合う単位パネル１１〜１８の接続部１７に、液晶ディスプレイの画素ピッチＰ１に等しいピッチで発光ダイオード素子２１Ｒ，２１Ｇ，２１Ｂが設けられているので、接続部１７における非発光部がなくなり、連続した画面を有するタイリングディスプレイ１を提供することができる。
【００３０】
また、発光ダイオード素子２１Ｒ，２１Ｇ，２１Ｂの表面に光拡散層２２を設けているので、液晶ディスプレイの画素と同じ面発光となり、タイリングディスプレイ１全体としての違和感を緩和することができる。
【００３１】
第２実施形態
図３は本発明の第２実施形態に係るタイリングディスプレイを示す平面図である。本例も単位パネルとして液晶ディスプレイを用いているが、本例の場合は、単位パネルの接続部にヒンジ部を設けて、タイリングディスプレイ１を折り畳み可能に構成している点が第１実施形態と異なる。
【００３２】
すなわち、本例のタイリングディスプレイ１は２枚の単位パネル１１，１２またはそれぞれの単位パネル１１，１２の左右にさらに別の単位パネル１３，１４…がタイル状に配列されている。なお、本明細書では、単位パネルを直線状に配列する場合も含めた意味で「タイル状に配列」なる語を用いる。
【００３３】
図３に示すタイリングディスプレイ１では、単位パネル１１と１２との間のヒンジ部２３で折り畳み可能とされているが、このヒンジ部２３も液晶ディスプレイの画素が存在しない非発光部となるので、このヒンジ部２３の表面にも、他の接続部１７と同じように、発光ダイオード素子２１Ｒ，２１Ｇ，２１Ｂを、接着剤などを用いて液晶ディスプレイの画素ピッチと同じピッチで設けている。また、上述した第１実施形態と同様に、単位パネル１１，１２の接続部１７およびこのヒンジ部２３にそれぞれ設けられた発光ダイオード素子２１Ｒ，２１Ｇ，２１Ｂの表面領域に、光拡散性を有する光拡散層が形成されている。
【００３４】
このように構成された本実施形態のタイリングディスプレイ１によれば、隣り合う単位パネル１１〜１４の間に位置する接続部１７のみならずヒンジ部２３の両方に非発光部がなくなり、折り畳み可能なタイリングディスプレイ１においても連続した画面を構成することができる。
【００３５】
第３実施形態
図４は本発明の第３実施形態に係るタイリングディスプレイを示す平面図である。本例では単位パネルとして発光ダイオードカラーディスプレイが用いられた例であって、単位パネルの接続部にヒンジ部を設けて、タイリングディスプレイ１を折り畳み可能に構成している点が第１および第２実施形態と異なる。
【００３６】
すなわち、本例に係る発光ダイオードカラーディスプレイの単位パネル１１を例に挙げて説明すると、この単位パネル１１は、ガラスなどで構成される基板上に、赤、青および緑の３色の何れかの発光ダイオード１１８Ｒ，１１８Ｇ，１１８Ｂと、この発光ダイオード１１８Ｒ，１１８Ｇ，１１８Ｂを駆動するための駆動回路素子（図示を省略する。）とが接着剤などを用いて実装されている。３色の発光ダイオード１１８Ｒ，１１８Ｇ，１１８Ｂは、この順序で縦横に配列され、単位パネル１１全体として発光ダイオード１１８Ｒ，１１８Ｇ，１１８Ｂがマトリックス状に配列されている。１組の赤、青および緑の発光ダイオード１１８Ｒ，１１８Ｇ，１１８Ｂが実装された領域が単位パネル１１における１画素を構成する。
【００３７】
こうした発光ダイオード１１８Ｒ，１１８Ｇ，１１８Ｂは、単位パネル１１の周縁まで実装することができるので、上述した液晶ディスプレイの封止剤１６のような非発光部は生じないが、図４に示すように２つの単位パネル１１，１２をヒンジ部２３を介して接続すると、このヒンジ部２３が非発光部となる。そこで、本例ではこのヒンジ部２３の表面にも発光ダイオード素子２１Ｒ，２１Ｇ，２１Ｂを、接着剤などを用いて液晶ディスプレイの画素ピッチと同じピッチで設けている。
【００３８】
このように構成された本実施形態のタイリングディスプレイ１によれば、隣り合う単位パネル１１，１２を接続するヒンジ部２３の非発光部がなくなり、折り畳み可能なタイリングディスプレイ１において連続した画面を構成することができる。
【００３９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００４０】
【発明の効果】
以上述べたように本発明によれば、接続部やヒンジ部の非発光部が無く、連続した画面を構成できるタイリングディスプレイを提供することができる。
【図面の簡単な説明】
【図１】本発明の第１実施形態に係るタイリングディスプレイを示す平面図である。
【図２】図１のＩＩ−ＩＩ線に沿う断面図である。
【図３】本発明の第２実施形態に係るタイリングディスプレイを示す平面図である。
【図４】本発明の第３実施形態に係るタイリングディスプレイを示す平面図である。
【符号の説明】
１…タイリングディスプレイ
１１〜１８…単位パネル
１１６…封止剤
１１７…接続部
２１Ｒ，２１Ｇ，２１Ｂ…発光ダイオード（点光源）
２３…ヒンジ部
【図１】
2004191487.tif 000003
【図２】
2004191487.tif 000004
【図３】
2004191487.tif 000005
【図４】
2004191487.tif 000006